(57)【要約】【課題】  ＳＡＣＤハイブリッドディスクのＨＤ層を再生したときの音質とＣＤ層とを再生したときの音質とが異なることを利用して、単に楽曲を聞くだけでなく、ＨＤ層の再生音かＣＤ層の再生音かを判別するＨＤ・ＣＤ判別クイズを出題し、ユーザがそのクイズに解答して楽しむことができるようにする。【解決手段】  ＳＡＣＤハイブリッドディスクのＨＤ層、ＣＤ層を再生して左チャンネルスピーカ、右チャンネルスピーカから再生音を出力して、左チャンネルスピーカ、右チャンネルスピーカから出力される再生音がＨＤ層の再生音かＣＤ層の再生音かを解答させるクイズを出題し、出題されたクイズに解答して、解答されたクイズの解答が正解であるか否かを判別し、その判別結果に基づいて次トラックのクイズの出題を制御して、各トラックのクイズの出題から解答までの時間を計時し積算し、ＳＡＣＤハイブリッドディスクの全トラックのクイズが終了したとき、積算された各クイズの出題の解答までに要した時間の累計を表示するようにする。【選択図】        図３
2005327343.tif 000002
【特許請求の範囲】
【請求項１】
ＨＤ層とＣＤ層とが２層構造で形成されたＳＡＣＤハイブリッドディスクのＨＤ層とＣＤ層とを同時再生可能なディスク再生装置であって、ＳＡＣＤハイブリッドディスクのＨＤ層、ＣＤ層を同時再生して、ＨＤ層の再生音、ＣＤ層の再生音を左チャンネルスピーカ又は右チャンネルスピーカから出力し、左チャンネルの再生音、右チャンネルの再生音がいずれの層の再生音であるかを解答させるクイズ、或いはＳＡＣＤハイブリッドディスクのＨＤ層、ＣＤ層を単独再生して、ＨＤ層の再生音、ＣＤ層の再生音を左チャンネルスピーカ及び右チャンネルスピーカから出力し、再生音がいずれの層の再生音かを解答させるクイズを出題する出題手段と、前記出題手段が出題するクイズの出題レベルを選択する選択手段と、前記出題手段により出題されたクイズに解答する解答手段と、前記解答手段により解答されたクイズの解答が正解であるか否かを判別する判別手段と、前記判別手段の判別結果に基づいて前記出題手段を制御して次トラックのクイズの出題を制御する制御手段と、各トラックのクイズの出題から解答までの時間を計時し積算する積算タイマ手段と、ＳＡＣＤハイブリッドディスクの全トラックのクイズが終了したとき、前記積算タイマ手段により積算された各クイズの出題の解答までに要した時間の累計を表示する表示手段とを備えたことを特徴とするディスク再生装置。
【請求項２】
ＨＤ層とＣＤ層とが２層構造で形成されたＳＡＣＤハイブリッドディスクのＨＤ層とＣＤ層とを同時再生可能なディスク再生装置であって、
ＳＡＣＤハイブリッドディスクのＨＤ層、ＣＤ層を再生して左チャンネルスピーカ、右チャンネルスピーカから再生音を出力し、左チャンネル、右チャンネルの再生音がＨＤ層の再生音かＣＤ層の再生音かを解答させるクイズを出題する出題手段と、前記出題手段により出題されたクイズに解答する解答手段と、前記解答手段により解答されたクイズの解答が正解であるか否かを判別する判別手段と、前記判別手段の判別結果に基づいて前記出題手段を制御して次トラックのクイズの出題を制御する制御手段と、各トラックのクイズの出題から解答までの時間を計時し積算する積算タイマ手段と、ＳＡＣＤハイブリッドディスクの全トラックのクイズが終了したとき、前記積算タイマ手段により積算された各クイズの出題の解答までに要した時間の累計を表示する表示手段とを備えたことを特徴とするディスク再生装置。
【請求項３】
前記出題手段が出題するクイズの出題レベルを選択する選択手段を更に備え、前記出題手段が、前記選択手段により選択された出題レベルに応じてＳＡＣＤハイブリッドディスクのＨＤ層、ＣＤ層を再生してクイズを出題するようにしたことを特徴とする請求項２記載のディスク再生装置。
【請求項４】
前記出題手段は、ＳＡＣＤハイブリッドディスクのＨＤ層、ＣＤ層を同時再生して、ＨＤ層の再生音、ＣＤ層の再生音を左チャンネルスピーカ又は右チャンネルスピーカから出力し、左チャンネルの再生音、右チャンネルの再生音がいずれの層の再生音であるかを解答させるクイズを出題する出題手段であることを特徴とする請求項２記載のディスク再生装置。
【請求項５】
前記出題手段は、ＳＡＣＤハイブリッドディスクのＨＤ層、ＣＤ層を単独再生して、ＨＤ層の再生音、ＣＤ層の再生音を左チャンネルスピーカ及び右チャンネルスピーカから出力し、再生音がいずれの層の再生音かを解答させるクイズを出題する出題手段であることを特徴とする請求項２記載のディスク再生装置。
【発明の詳細な説明】
【技術分野】
【０００１】
本発明は、光ディスクに記録されたオーディオデータを再生するディスク再生装置に係り、特にＨＤ（Ｈｉｇｈ  Ｄｅｎｓｉｔｙ）層とＣＤ（Ｃｏｍｐａｃｔ  Ｄｉｓｃ）層とが２層構造で形成されたＳＡＣＤ（Ｓｕｐｅｒ  Ａｕｄｉｏ  Ｃｏｍｐａｃｔ  Ｄｉｓｃ）ハイブリッドディスクを再生するディスク再生装置に関する。
【背景技術】
【０００２】
周知のように、ＳＡＣＤはＣＤよりも周波数帯域幅が広く、ＣＤの周波数帯域幅が２０ｋＨｚであるのに対して、ＳＡＣＤの周波数帯域幅は１００ｋＨｚとなっていて、ＣＤよりも高品質の楽曲を聞くことができる。しかし、ユーザは、ＳＡＣＤハイブリッドディスクを再生して曲を聴くのみであって他の楽しみ方が全くないので、曲を聴くのに飽きたときなど気分転換をすることができないという問題点があった。
背景技術としては、ＣＤとは異なる記録形式のＨＤディスクに記録されたデジタルオーディオ信号に関する曲番、トラック経過時間等の情報データをＣＤと同様の形式に変換して、曲番、トラック経過時間等の情報をＣＤと同様に表示することができるようにしたものがあった（例えば、特許文献１参照）。
また、ＳＣＡＤ再生時とＤＶＤ再生時とでそれぞれ異なるスピーカ設定が自動的にできるように構成して、ＳＡＣＤとＤＶＤとを識別してディスクの種類に応じて自動的にそれぞれ異なるスピーカ設定を行うようにしたものがあった（例えば、特許文献２参照）。
【特許文献１】特開２０００−１５６０５０号公報
【特許文献２】特開２００２−３６９２９９号公報
【発明の開示】
【発明が解決しようとする課題】
【０００３】
しかしながら、背景技術で述べたもののうち前者においては、ＣＤとは異なる記録形式のＨＤディスクに記録されたデジタルオーディオ信号に関する曲番、トラック経過時間等の情報データをＣＤと同様の形式に変換して、曲番、トラック経過時間等の情報をＣＤと同様に表示することができたが、ＳＡＣＤハイブリッドディスクを再生して曲を聴くのみであって他の楽しみ方が全くないので、曲を聴くのに飽きたときなど気分転換をすることができないという問題点を解決するようにしたものではなかった。
また、後者においては、ＳＣＡＤ再生時とＤＶＤ再生時とでそれぞれ異なるスピーカ設定が自動的にできるように構成して、ＳＡＣＤとＤＶＤとを識別してディスクの種類に応じて自動的にそれぞれ異なるスピーカ設定を行うことができたが、上記同様、上記問題点を解決するようにしたものではなかった。
本発明は、背景技術の有するこのような問題点に鑑みてなされたものであり、その目的とするところは、ＳＡＣＤハイブリッドディスクのＨＤ層を再生したときの音質とＣＤ層とを再生したときの音質とが異なることを利用して、単に楽曲を聞くだけでなく、ＨＤ層の再生音かＣＤ層の再生音かを判別するＨＤ・ＣＤ判別クイズを出題し、ユーザがそのクイズに解答して楽しむことができるディスク再生装置を提供しようとするものである。
【課題を解決するための手段】
【０００４】
上記目的を達成するため本発明においては、ＨＤ層とＣＤ層とが２層構造で形成されたＳＡＣＤハイブリッドディスクのＨＤ層とＣＤ層とを同時再生可能なディスク再生装置であって、ＳＡＣＤハイブリッドディスクのＨＤ層、ＣＤ層を再生して左チャンネルスピーカ、右チャンネルスピーカから再生音を出力し、左チャンネル、右チャンネルの再生音がＨＤ層の再生音かＣＤ層の再生音かを解答させるクイズを出題する出題手段と、前記出題手段により出題されたクイズに解答する解答手段と、前記解答手段により解答されたクイズの解答が正解であるか否かを判別する判別手段と、前記判別手段の判別結果に基づいて前記出題手段を制御して次トラックのクイズの出題を制御する制御手段と、各トラックのクイズの出題から解答までの時間を計時し積算する積算タイマ手段と、ＳＡＣＤハイブリッドディスクの全トラックのクイズが終了したとき、前記積算タイマ手段により積算された各クイズの出題の解答までに要した時間の累計を表示する表示手段とを備える。
更に、前記出題手段が出題するクイズの出題レベルを選択する選択手段を備え、前記出題手段が、前記選択手段により選択された出題レベルに応じてＳＡＣＤハイブリッドディスクのＨＤ層、ＣＤ層を再生してクイズを出題するようする。
前記出題手段は、ＳＡＣＤハイブリッドディスクのＨＤ層、ＣＤ層を同時再生して、ＨＤ層の再生音、ＣＤ層の再生音を左チャンネルスピーカ又は右チャンネルスピーカから出力し、左チャンネルの再生音、右チャンネルの再生音がいずれの層の再生音であるかを解答させるクイズを出題するようにするとよい。
また、前記出題手段は、ＳＡＣＤハイブリッドディスクのＨＤ層、ＣＤ層を単独再生して、ＨＤ層の再生音、ＣＤ層の再生音を左チャンネルスピーカ及び右チャンネルスピーカから出力し、再生音がいずれの層の再生音かを解答させるクイズを出題するようにするとよい。
これらの手段により、ＳＡＣＤハイブリッドディスクのＨＤ層を再生したときの音質とＣＤ層とを再生したときの音質とが異なることを利用して、単に楽曲を聞くだけでなく、ＨＤ層の再生音かＣＤ層の再生音かを判別するＨＤ・ＣＤ判別クイズを出題し、ユーザがそのクイズに解答して楽しむことができる。
【発明の効果】
【０００５】
請求項１記載の発明に係るディスク再生装置によれば、選択されたクイズの出題レベルに応じて、ＳＡＣＤハイブリッドディスクのＨＤ層、ＣＤ層を同時再生して、ＨＤ層の再生音、ＣＤ層の再生音を左チャンネルスピーカ又は右チャンネルスピーカから出力し、左チャンネルの再生音、右チャンネルの再生音がいずれの層の再生音であるかを解答させるクイズ、或いはＳＡＣＤハイブリッドディスクのＨＤ層、ＣＤ層を単独再生して、ＨＤ層の再生音、ＣＤ層の再生音を左チャンネルスピーカ及び右チャンネルスピーカから出力し、再生音がいずれの層の再生音かを解答させるクイズを出題し、出題されたクイズに解答して、解答されたクイズの解答が正解であるか否かを判別し、その判別結果に基づいて次トラックのクイズの出題を制御し、各トラックのクイズの出題から解答までの時間を計時し積算して、ＳＡＣＤハイブリッドディスクの全トラックのクイズが終了したとき、積算された各クイズの出題の解答までに要した時間の累計を表示するようにしているので、ＳＡＣＤハイブリッドディスクのＨＤ層を再生したときの音質とＣＤ層とを再生したときの音質とが異なることを利用して、単に楽曲を聞くだけでなく、ＨＤ層の再生音かＣＤ層の再生音かを判別するＨＤ・ＣＤ判別クイズを出題し、ユーザがそのクイズに解答して楽しむことができる。
請求項２記載の発明に係るディスク再生装置によれば、ＳＡＣＤハイブリッドディスクのＨＤ層、ＣＤ層を再生して左チャンネルスピーカ、右チャンネルスピーカから再生音を出力して、左チャンネルスピーカ、右チャンネルスピーカから出力される再生音がＨＤ層の再生音かＣＤ層の再生音かを解答させるクイズを出題し、出題されたクイズに解答して、解答されたクイズの解答が正解であるか否かを判別し、その判別結果に基づいて次トラックのクイズの出題を制御して、各トラックのクイズの出題から解答までの時間を計時し積算し、ＳＡＣＤハイブリッドディスクの全トラックのクイズが終了したとき、積算された各クイズの出題の解答までに要した時間の累計を表示するようにしているので、ＳＡＣＤハイブリッドディスクのＨＤ層を再生したときの音質とＣＤ層とを再生したときの音質とが異なることを利用して、単に楽曲を聞くだけでなく、ＨＤ層の再生音かＣＤ層の再生音かを判別するＨＤ・ＣＤ判別クイズを出題し、ユーザがそのクイズに解答して楽しむことができる。
請求項３記載の発明に係るディスク再生装置によれば、出題するクイズの出題レベルを選択して、選択された出題レベルに応じてＳＡＣＤハイブリッドディスクのＨＤ層、ＣＤ層を再生し、左チャンネルスピーカ、右チャンネルスピーカから再生音を出力してクイズを出題するようにしているので、ユーザが好みの出題レベルのクイズを楽しむことができる。
請求項４記載の発明に係るディスク再生装置によれば、ＳＡＣＤハイブリッドディスクのＨＤ層、ＣＤ層を同時再生して、ＨＤ層の再生音、ＣＤ層の再生音を左チャンネルスピーカ又は右チャンネルスピーカから出力し、左チャンネルの再生音、右チャンネルの再生音がいずれの層の再生音であるかを解答させるクイズを出題するようにしているので、左チャンネルスピーカから出力される再生音と右チャンネルスピーカとから出力される再生音とを比較して、出題されたクイズに解答することができる。
請求項５記載の発明に係るディスク再生装置によれば、ＳＡＣＤハイブリッドディスクのＨＤ層、ＣＤ層を単独で再生して、ＨＤ層の再生音、ＣＤ層の再生音を左チャンネルスピーカ及び右チャンネルスピーカから出力し、再生音がいずれの層の再生音かを解答させるクイズを出題するようにしているので、左チャンネルスピーカと右チャンネルスピーカとから出力される再生音がＨＤ層の再生音であるかＣＤ層の再生音であるかを解答するレベルの高いクイズを出題することができる。
【発明を実施するための最良の形態】
【０００６】
以下、適宜図面を参照しながら本発明を実施するための最良の形態を詳述する。図１は本発明の一実施例のディスク再生装置の構成を示すブロック図であり、図２は本発明の一実施例のディスク再生装置のリモコン装置を示す説明図であり、図３は本発明の一実施例のディスク再生装置のＨＤ・ＣＤ判別クイズの出題レベルの選択と出題例とを示す説明図であり、図４は本発明の一実施例のディスク再生装置の動作を示すフローチャートである。
まず、図１の本発明の一実施例のディスク再生装置の構成を示すブロック図図１の本発明の一実施例のディスク再生装置の構成を示すブロック図を基に説明する。
ディスク再生装置１０は、光ディスク１１のＨＤ層に記録されたオーディオデータを再生するＳＡＣＤ再生部１２と、光ディスク１１のＣＤ層に記録されたオーディオデータを再生するＣＤ再生部１３と、ＳＡＣＤ再生部１２、ＣＤ再生部１３により再生されたオーディオ信号をオーディオ信号に変換して出力し、左チャンネルスピーカ３０と右チャンネルスピーカ３１とを駆動するオーディオ出力部１４と、文字情報信号を映像信号に重畳してモニタ装置４０の画面に文字情報を表示するＯＳＤ（Ｏｎ−Ｓｃｒｅｅｎ  Ｃｈａｒａｃｔｅｒ  Ｄｉｓｐｌａｙ）回路１５と、ディスク再生装置１０のシステム全体を制御するマイコン１６と、リモコン装置２０から送信されたリモコン信号を受信して所定の電気信号に変換するリモコン受信部１７とで構成されている。
また、図２の本発明の一実施例のディスク再生装置のリモコン装置を示す説明図を示す説明図を基に説明する。
リモコン装置２０には、モニタ装置４０にメニュ画面の表示を指令するメニュキー２０ａ、モニタ装置４０のメニュ画面に表示された選択項目選択するカーソルキー２０ｂ、カーソルキー２０ｂによって選択された選択項目の選択を決定する決定キー２０ｃ等の複数の操作キーが設けられていて、それらの操作キーを操作することによりディスク再生装置１０を所望動作させることができるようになっている。なお、カーソルキー２０ｂは、上矢印キー、下矢印キー、左矢印キー、右矢印キーの４つの操作キーで構成されている。
以上のように構成されたディスク再生装置について、以下その動作について説明する。
リモコン装置２０の操作キーが操作されると、操作された操作キーのリモコン信号がリモコン装置２０から赤外線信号のリモコン信号として送信され、送信された赤外線信号のリモコン信号がリモコン受信部１７により受信され、所定の電気信号に変換されてマイコン１６に送出される。リモコン装置２０のメニュキー２０ａのリモコン信号を受信すると、マイコン１６は、文字情報信号と制御信号とをＯＳＤ回路１５に送出して、モニタ装置４０の画面にメニュ画面を表示する（図示せず）。そして、リモコン装置２０のカーソルキー２０ｂと決定キー２０ｃと操作によりモニタ装置４０の画面に表示されたメニュ画面のＨＤ・ＣＤ判別クイズが選択されると、マイコン１６は、文字情報信号と制御信号とをＯＳＤ回路１５に送出して、モニタ装置４０の画面４０ａにＨＤ・ＣＤ判別クイズの出題レベルの選択画面を表示する（図３（ａ）参照）。ＨＤ・ＣＤ判別クイズの出題レベル１は、例えば、左チャンネルと右チャンネルとを同時再生し、左チャンネルがＨＤ層の再生音かＣＤ層の再生音か、右チャンネルがＣＤ層の再生音かＨＤ層の再生音かを解答するクイズとし、レベル２はＨＤ層とＣＤ層とを同時再生せずに、ＨＤ層、ＣＤ層とを単独再生し、ＨＤ層の再生音かＣＤ層の再生音かを解答するクイズとする。
リモコン装置２０のカーソルキー２０ｂと決定キー２０ｃとキー操作によりＨＤ・ＣＤ判別クイズの出題レベル１又はレベル２が選択され、ＨＤ・ＣＤ判別クイズの開始が選択されると、マイコン１６は、クイズの解答までに要した時間を計時して積算する積算タイマ（マイコン１６の内蔵タイマ）をリセットして、選択されたクイズの出題レベルに応じてＳＡＣＤ再生部１２、ＣＤ再生部１３に制御信号を送出して、トラックの曲を再生してクイズを出題し、文字情報信号と制御信号とをＯＳＤ回路１５に送出して、モニタ装置４０の画面４０ａにクイズの解答画面を表示し（図３（ｂ）参照）、積算タイマをスタートする。
クイズが出題されてから所定時間内に、ユーザがリモコン装置２０のカーソルキー２０ｂと決定キー２０ｃとを操作して、出題されたクイズに解答すると、マイコン１６は、出題されたクイズの解答が正解であるか否かを判断して、解答が正解である場合、積算タイマを一時停止して、正解したトラックの曲を再生する。そして、マイコン１６は、クイズの解答が正解する毎に、選択されたクイズの出題レベルに応じて次トラックの曲を再生してクイズを順次出題し、光ディスク１１の全トラックのクイズの出題が終了すると、積算タイマにより積算された各クイズの出題の解答までに要した時間の累計をモニタ装置４０の画面に表示してクイズを終了する（図示せず）。なお、出題されたクイズの解答が正解でない場合、或いは出題されたクイズの解答がなく所定時間が経過してタイムオーバとなった場合、クイズの出題が終了され、次トラックの曲は再生されないようになっている。再びクイズに挑戦する場合は、ＨＤ・ＣＤ判別クイズの出題は最初からとなる。
また、図４の本発明の一実施例のディスク再生装置の動作を示すフローチャートを基に説明する。
リモコン装置のキー操作によりＨＤ・ＣＤ判別クイズの開始が選択されると、ステップＳ１からステップＳ２に進み、ステップＳ２で、クイズの解答までに要した時間を計時して積算する積算タイマがリセットされ、ステップＳ３に進む。
ステップＳ３で、選択されたクイズの出題レベルに応じてトラックの曲が再生されてクイズが出題されて、積算タイマがスタートされ、ステップＳ４に進む。
ステップＳ４で、出題されたクイズの解答がなく所定時間が経過してタイムオーバとなったか否かが判断され、タイムオーバとなった場合、ステップＳ１０に進んで処理を終了し、タイムオーバとなっていない場合、ステップＳ５に進む。
ステップＳ５で、出題されたクイズの解答があったか否かが判断され、出題されたクイズの解答があった場合、ステップＳ６に進み、出題されたクイズの解答がない場合、ステップＳ４に戻って、ステップＳ４からのステップを繰り返す。
ステップＳ６で、出題されたクイズの解答が正解であるか否かが判断され、解答が正解である場合、ステップＳ７に進み、解答が正解でない場合、ステップＳ１０に進んで処理を終了する。
ステップＳ７で、積算タイマが一時停止されて、正解したトラックの曲が再生され、次のトラックで再生が停止されて、ステップＳ８に進む。
ステップＳ８で、光ディスクの全トラックのクイズの出題が終了したか否かが判断され、光ディスクの全トラックのクイズの出題が終了した場合、ステップＳ９に進み、光ディスクの全トラックのクイズの出題が終了していない場合、ステップＳ３に戻って、ステップＳ３からのステップを繰り返す。
ステップＳ９で、積算タイマにより積算された各クイズの出題の解答までに要した時間の累計が画面に表示され、ステップＳ１０に進んで処理を終了する。
以上、本発明を実施するための最良の形態について詳述したが、本発明はこれに限らず、当業者の通常の知識の範囲内でその変形や改良が可能である。例えば、リモコン装置のカーソルキーと決定キーとの操作により出題されたクイズに解答することを説明したが、リモコン装置の他の操作キー、例えばテンキーの操作により出題されたクイズに解答するようにしてもよい。
【図面の簡単な説明】
【０００７】
【図１】本発明の一実施例のディスク再生装置の構成を示すブロック図である。
【図２】本発明の一実施例のディスク再生装置のリモコン装置を示す説明図である。
【図３】本発明の一実施例のディスク再生装置のＨＤ・ＣＤ判別クイズの出題レベルの選択と出題例とを示す説明図である。
【図４】本発明の一実施例のディスク再生装置の動作を示すフローチャートである。
【符号の説明】
【０００８】
１０  ディスク再生装置
１１  光ディスク
１２  ＳＡＣＤ再生部
１３  ＣＤ再生部
１４  オーディオ出力部
１５  ＯＳＤ回路
１６  マイコン
１７  リモコン受信部
２０  リモコン装置
２０ａ  メニュキー
２０ｂ  カーソルキー
２０ｃ  決定キー
３０  左チャンネルスピーカ
３１  右チャンネルスピーカ
４０  モニタ装置
４０ａ  画面
【図１】
2005327343.tif 000003
【図２】
2005327343.tif 000004
【図３】
2005327343.tif 000005
【図４】
2005327343.tif 000006